(57)【要約】【課題】簡単な構成で、鎖体の輪の大きさを容易に且つ自由に調整できるようにした装身具とその製造手段を提供すること。【解決手段】首などに巻装できる鎖体と、該鎖体に掛止できる装飾体からなり、装飾体は中空の球状体で、鎖体の断面径よりやや大きい少なくとも２個の透孔がありかつ上記球体内に収められ、その外径が上記透孔よりやや大きく、内径が上記鎖体の断面径よりやや小さい円筒状の弾性係止片を設けてなる。【選択図】図１
2005318978.tif 000002
【特許請求の範囲】
【請求項１】
首などに巻装できる鎖体と、該鎖体に掛止できる装飾体からなり、装飾体は中空で、鎖体の断面径よりやや大きい少なくとも２個の透孔がありかつ、上記球体内に収められ、その外径が上記透孔よりやや大きく、内径が上記鎖体の断面径よりやや小さい円筒状の弾性係止片を設けたことが特徴の装身具。
【請求項２】
首などに巻装できる鎖体と、該鎖体に掛止できる装飾体からなり、装飾体は中空の球状体で、鎖体の断面径よりやや大きい少なくとも２個の透孔と外径が上記透孔よりやや大きく、内径が上記鎖体の断面径よりやや小さい円筒状の弾性係止片よりなり、
当該弾性係止片を上記透孔から、だましだまし球体内に導き入れかつ、この球体内の弾性係止片に上記鎖体を挿通させ該鎖体外面と弾性係止片との摩擦接触によって鎖体と装飾体は掛止した状態を保つようにしたことが特徴の装身具の製造手段。
【発明の詳細な説明】
【技術分野】
【０００１】
本発明は、ネックレス、ブレスレット等の装飾チェーンからなる装身具において、首または手首にかける装飾チェーンの輪の大きさを容易かつ白由に調節できるようにした装身具に関するものである。
【背景技術】
【０００２】
ネックレス、ブレスレット等の装飾チェーンからなる装身具において、前記装飾チェーンの一端に丸玉、ミラーボール、パイプ等のデザインパーツを取付けるとともに、前記デザインパーツ中にシリコンゴムのような弾性体を注入し、さらに前記シリコンゴムのような弾性体に装飾チェーンの直径より僅かに小径の貫通孔を設け、前記貫通孔に前記装飾チェーンの他端側を挿通させた構造のものは公知である。（特許文献１参照）
【０００３】
【特許文献１】特開平１１−４６８２６（要約書）
【発明の開示】
【発明が解決しようとする課題】
【０００４】
ところが、上記従来技術の場合は、単にシリコンゴムのような弾性体を注入し、それに装飾チェーンの直径より僅かに小径の貫通孔を設けただけであるから、かかる装飾チェーンと弾性体の係合が極く僅かでこれでは身体に取付けたのちの振動でも、特に度重なる長さの調整の作業でも、両者の係合部が所謂ゆるゆるになり、このため所望位置での係合停止ができなくなる欠点があった。
【０００５】
而して、本発明は上記課題を解決することを目的としたものである。
【課題を解決するための手段】
【０００６】
而して本発明の特徴の１つは、首などに巻装できる鎖体と、該鎖体に係止できる装飾体からなり、装飾体は中空で、鎖体の断面径よりやや大きい少なくとも２個の透孔がありかつ、上記球体内に収められ、その外径が上記透孔よりやや大きく、内径が上記鎖体の断面径よりやや小さい円筒状の弾性係止片を設けたことである。
【０００７】
従って上記係止片は、円筒形状のもので鎖体よりその径が小さくかかる円筒形状としたことから、これに挿通される鎖体との接触面積（広さ）が長く、それだけ両者の係止が確実で度重なる鎖体の長さ調節、即ち鎖体と円筒形状の係止片との接触しつつスライドさせる作業が繰返し行われても両者の間に緩みが生ずる虞れが比較的少ないものとすることができたのである。
【０００８】
また上記弾性係止片を上記透孔から、だましだまし球体内に導き入れかつ、この球体内の弾性係止片に上記鎖体を挿通させ該鎖体外面と弾性係止片との摩擦接触によって鎖体と装飾体は掛止した状態を保つようにしたことも本発明の製造手段の特徴となっている。
【０００９】
この場合「だましだましとは」、装飾体に穿たれた少なくとも２個の透孔の径より比較的大きな径の円筒状弾性係止片を装飾体内に入る作業をいう。
【００１０】
即ち、上記装飾体の透孔に上記係止片の一端を宛い、仮令えば押し廻し乍らゆっくり装飾体内に係合片を導き入れる簡単な作業で、それだけ安価に確実に係止片を装飾体内に嵌め込むことができたのである。
【００１１】
なお、この「だましだまし」の作業は係止片に鎖体を挿通させてから行う方がよいこと勿論である。
【００１２】
この結果、今装飾体の位置を他の位置にずらす場合、装飾体を一方の手の指で固定し他方の手の指で鎖体を一方向に引張るものであるが、この場合装飾体内の係止片の一端は、装飾体の透孔の内部周囲に当接し、かつその係止片の外径が透孔の径より小さいことから鎖体方向に縮まり、あるいは係止片を装飾体内に「だましだまし」押し入れることで、円筒状の弾性係止体が恰も蛇腹状となるような形状となって、かかる係止体と鎖体との係合部が所謂「Ｏ」リング状で掛止された状態となるのである。
【発明の効果】
【００１３】
従ってこれら両者の係止作業、即ち鎖体の首まわりの調整作業はスムーズであり乍ら、確実に掛止することができ使用者の所望の位置に装飾体を配することができるのである。
【００１４】
以上述べたように本発明装身具は、極く簡単な作業で装飾体及びこれに鎖体を取付けることができ、かつ鎖体に取付けられた装飾体の位置を容易に変え得ると共に、仮令振動などがあってもその変えた位置がみだりに変えられることがない装身具を提供できたのである。
【発明を実施するための最良の形態】
【００１５】
図１で（１）は鎖体で、この図では略々同一長さの２本の鎖体（１）（１’）が示されている。
【００１６】
（２）は図２及び図３でみられるように装飾体で金属、合金、プラスチック、セラミックを含む各種鉱石の材料で作られ、通常は球状で中は球状の空胴（６）となっている。
【００１７】
（３）は上記装飾体（２）の中心軸線の両側に穿たれた透孔であり、（４）はこの装飾体（２）の空胴（６）内に押し込まれるゴム、シリコンゴム、軟質合成樹脂などから作られる係止片であり、図４は弾性係止片（４）の斜視図である。
【００１８】
この係止片（４）は、中心軸線上に上記鎖体（１）が摺動可能に挿通される挿通孔（７）がある円筒形状で、その外径は上記透孔（３）の内径より僅か小径のものとする。
【００１９】
またその長さは上記装飾体（２）の空胴の内巾より短いサイズのものが好しい。
【００２０】
この係止片（４）を装飾体（２）に挿入するには、先ず鎖体（１）を係止片（４）の挿通孔（７）に挿通しておくことが好しい。次いで、この鎖体（１）を装飾体（２）のそれぞれの透孔（２）に通したのち、係止片（４）の一端を上記一方の透孔（２）の周囲に押し当る。
【００２１】
然るのち当該係止片（４）を押し当つつ仮令えば回転力を与え、ゆっくりゆっくり廻すと、係止片（４）はその弾力により少しずつ装飾体（２）内に挿入する。
【００２２】
この「だましだまし」の挿入手段を続けることで係止片（４）は装飾体（２）の空胴（６）内に収り、その両端は係止片（４）の長がかかる空胴の巾より稍々長いことから空胴（６）内の両端の壁に密に係合され、この空胴（６）内から係止片（４）が飛び出すことがないような工夫がなされている。
【実施例１】
【００２３】
図の１はダイヤモンドのようなブローチ体（８）をもった、装身具を示しこれは上記のように２本の鎖体（１）（１’）を一体化して用いる例である。
【００２４】
而してこの場合ブローチ体（８）は上記装飾体（２）の一面に突出させて設けてあり、装飾体（２）には一対２組の透孔（３）と、それぞれの鎖体（１）（１’）の一端が挿通された２個の弾性係止片（４）がある。
【００２５】
一方鎖体（１）の他方は、途中に上記係止片（４）が内装された装飾体（２）を介して、他の鎖体（１’）の装飾体（２’）の外側熔着等の手段で固着されている。また他方の鎖体（１）の他方も同様に装飾体（２’）を介して他方の装飾体（２）の外側に固着されている。
【００２６】
而して今ブローチ体（８）の取付位置を変えたときは、片方の手でブローチ体（８）をもち、他方の手で鎖体（１）（１’）の一方を引張ればよい。
【００２７】
またかかる装身具（５）を首にかける場合などその大きさ（径）を変えたいときも、上記装飾体（２）（２’）のいずれか一方を片手でもち、他方の手で鎖体（１）または（１’）を引張ればその径を自由な所望の大きさとすることができるのである。
【実施例２】
【００２８】
なお、図５は装身具（５）に上記ブローチ体（８）を設けない一例で、一本の鎖体（１）の一端を一方の装飾体（２）を介して他方の装飾体（２’）に熔着し、他端は他の装飾体（２’）を介し装飾体（２）に熔着したもので、その他の構成及び作用効果は先の実施例と同一である。
【実施例３】
【００２９】
図６の実施例は、装身具（５）に上記１つの装飾体（２）を設けた鎖体（１）の一端には、副飾り（９）があり、他端にはバネ付フック体（１０）を取付ける一方、上記装飾体（２）の外側から突出して設けたリング（１１）にこのフック体（１０）を係止するようにしたものである。
【図面の簡単な説明】
【００３０】
【図１】本発明装身具の第１の実施例の正面図
【図２】同一部拡大及び一部切欠正面図
【図３】装飾体の断面説明図
【図４】弾性係止片の斜視図
【図５】第２実施例の正面図
【図６】第３実施例の正面図
【符号の説明】
【００３１】
１  １’    鎖体
２  ２’    装飾体
３          透孔
４          係止片
５          装身具
６          空胴
７          挿通孔
８          ブローチ体
９          副飾り
１０        バネ付フック体
１１        リング
【図１】
2005318978.tif 000003
【図２】
2005318978.tif 000004
【図３】
2005318978.tif 000005
【図４】
2005318978.tif 000006
【図５】
2005318978.tif 000007
【図６】
2005318978.tif 000008